(57)【特許請求の範囲】
【請求項１】
コンタクト−バウンドモード及びコンタクトレスモードで操作され得るデータキャリアであって、以下に明記される手段、即ち、
前記コンタクト−バウンドモードにおいてデータを受信し得る且つ該コンタクト−バウンドモードにおいて受信されるデータを供給するためのコンタクトーバウンドデータ出力手段を含む、コンタクトーバウンドインターフェース手段と、
前記コンタクトレスモードにおいてデータを受信し得る且つ該コンタクトレスモードにおいて受信されるデータを供給するためのコンタクトレスデータ出力手段を含む、コンタクトレスインターフェース手段と、
前記コンタクト−バウンドモードにおいて受信されるデータ及び前記コンタクトレスモードにおいて受信されるデータを受信するためのデータ入力手段を含み且つ前記コンタクト−バウンドモードにおいて受信された該データ及び前記コンタクトレスモードにおいて受信された該データを処理し得るデータ処理手段と、
第１のデータ入力手段、第２のデータ入力手段及びデータ出力手段を含み、該第１のデータ入力手段が前記コンタクトーバウンドインターフェース手段の前記コンタクトーバウンドデータ出力手段に接続され、該第２のデータ入力手段が前記コンタクトレスインターフェース手段の前記コンタクトレスデータ出力手段に接続され、該データ出力手段が前記データ処理手段の前記データ入力手段に接続されるデータ転送手段であって、前記コンタクト−バウンドモードにおいて受信され前記第１のデータ入力手段に印加されるデータを前記データ出力手段を介して前記データ処理手段に転送するように構成され、前記コンタクトレスモードにおいて受信され前記第２のデータ入力手段に印加されるデータを前記データ出力手段を介して前記データ処理手段に転送するように構成され、且つ前記第１及び第２のデータ入力手段の一方から当該データ入力手段の他方への受信データの転送を禁止するように構成されるデータ転送手段と、
を含むデータキャリアにおいて、
前記データ転送手段は、論理ＯＲ関数を実行するように構成され、前記データ転送手段は、この構成と整合して、前記第１のデータ入力手段及び前記第２のデータ入力手段において同時に受信されたデータを前記データ出力手段に且つ結果として前記データ処理手段に同時に転送するようになっており、前記データ転送手段は、ＯＲゲートによって形成されることを特徴とするデータキャリア。
【請求項２】
請求項１に記載のデータキャリアにおいて、
前記データ処理手段は、前記コンタクト−バウンドモード及び前記コンタクトレスモードにおいて出力されるべきデータの出力のためのデータ出力手段を含み、
前記コンタクトーバウンドインターフェース手段は、前記コンタクトーバウンドモードにおいて出力されるべきデータを受信するためのコンタクトーパウンドデータ入力手段を含み、
前記コンタクトレスインターフェース手段は、前記コンタクトレスモードにおいて出力されるべきデータを受信するためのコンタクトレスデータ入力手段を含み、
前記データ処理手段の前記データ出力手段、前記コンタクトーバウンドインターフェース手段の前記コンタクトーバウンドデータ入力手段及び前記コンタクトレスインターフェース手段の前記コンタクトレスデータ入力手段は、互いに電気的に接続されることを特徴とするデータキャリア。
【請求項３】
請求項１に記載のデータキャリアにおいて、
コンタクトレスモードにおいて、前記コンタクトーバウンドインターフェース手段の前記コンタクトーバウンドデータ出力手段を論理ゼロに対応する状態に設定する手段と、
コンタクトーバウンドモードにおいて、前記コンタクトレスインターフェース手段の前記コンタクトレスデータ出力手段を同様に論理ゼロに対応する状態に設定する手段と、
を具えることを特徴とするデータキャリア。
【請求項４】
請求項１に記載のデータキャリアにおいて、
前記コンタクト−バウンドモードが活性化される場合に現れるコンタクトーバウンドクロック信号の存在の検出と、前記コンタクトレスモードが活性化される場合に現れるコンタクトレスクロック信号の存在の検出とを可能にするとともに、
前記コンタクト−バウンドモード及び前記コンタクトレスモードの両者が活性化されたという事態を検出すると、前記データ処理手段に前記データ入力手段を介して印加されるデータの該データ処理手段による処理を禁止させ得る
検出手段を具えることを特徴とするデータキャリア。
【請求項５】
コンタクトーバウンドモード及びコンタクトレスモードで操作され得る、データキャリア用の回路であって、以下に明記される手段、即ち、
前記コンタクト−バウンドモードにおいてデータを受信し得る且つ該コンタクト−バウンドモードにおいて受信されるデータを供給するためのコンタクトーバウンドデータ出力手段を含む、コンタクトーバウンドインターフェース手段と、
前記コンタクトレスモードにおいてデータを受信し得る且つ該コンタクトレスモードにおいて受信されるデータを供給するためのコンタクトレスデータ出力手段を含む、コンタクトレスインターフェース手段と、
前記コンタクト−バウンドモードにおいて受信されるデータ及び前記コンタクトレスモードにおいて受信されるデータを受信するためのデータ入力手段を含み且つ前記コンタクト−バウンドモードにおいて受信された該データ及び前記コンタクトレスモードにおいて受信された該データを処理し得るデータ処理手段と、
第１のデータ入力手段、第２のデータ入力手段及びデータ出力手段を含み、該第１のデータ入力手段が前記コンタクトーバウンドインターフェース手段の前記コンタクトーバウンドデータ出力手段に接続され、該第２のデータ入力手段が前記コンタクトレスインターフェース手段の前記コンタクトレスデータ出力手段に接続され、該データ出力手段が前記データ処理手段の前記データ入力手段に接続されるデータ転送手段であって、前記コンタクト−バウンドモードにおいて受信され前記第１のデータ入力手段に印加されるデータを前記データ出力手段を介して前記データ処理手段に転送するように構成され、前記コンタクトレスモードにおいて受信され前記第２のデータ入力手段に印加されるデータを前記データ出力手段を介して前記データ処理手段に転送するように構成され、且つ前記第１及び第２のデータ入力手段の一方から当該データ入力手段の他方への受信データの転送を禁止するように構成されるデータ転送手段と、
を含む回路において、
前記データ転送手段は、論理ＯＲ関数を実行するように構成され、前記データ転送手段は、この構成と整合して、前記第１のデータ入力手段及び前記第２のデータ入力手段において同時に受信されたデータを前記データ出力手段に且つ結果として前記データ処理手段に同時に転送するようになっており、前記データ転送手段は、ＯＲゲートによって形成されることを特徴とする回路。
【請求項６】
請求項５に記載の回路において、
前記データ処理手段は、前記コンタクト−バウンドモード及び前記コンタクトレスモードにおいて出力されるべきデータの出力のためのデータ出力手段を含み、
前記コンタクトーバウンドインターフェース手段は、前記コンタクトーバウンドモードにおいて出力されるべきデータを受信するためのコンタクトーパウンドデータ入力手段を含み、
前記コンタクトレスインターフェース手段は、前記コンタクトレスモードにおいて出力されるべきデータを受信するためのコンタクトレスデータ入力手段を含み、
前記データ処理手段の前記データ出力手段、前記コンタクトーバウンドインターフェース手段の前記コンタクトーバウンドデータ入力手段及び前記コンタクトレスインターフェース手段の前記コンタクトレスデータ入力手段は、互いに電気的に接続されることを特徴とする回路。
【請求項７】
請求項５に記載の回路において、
コンタクトレスモードにおいて、前記コンタクトーバウンドインターフェース手段の前記コンタクトーバウンドデータ出力手段を論理ゼロに対応する状態に設定する手段と、
コンタクトーバウンドモードにおいて、前記コンタクトレスインターフェース手段の前記コンタクトレスデータ出力手段を同様に論理ゼロに対応する状態に設定する更なる手段と、
を具えることを特徴とする回路。
【請求項８】
請求項５に記載の回路において、
前記コンタクト−バウンドモードが活性化される場合に現れるコンタクトーバウンドクロック信号の存在の検出と、前記コンタクトレスモードが活性化される場合に現れるコンタクトレスクロック信号の存在の検出とを可能にするとともに、
前記コンタクト−バウンドモード及び前記コンタクトレスモードの両者が活性化されたという事態を検出すると、前記データ処理手段に前記データ入力手段を介して印加され旦データの該データ処理手段による処理を禁止させ得る
検出手段を具えることを特徴とする回路。
【発明の詳細な説明】
技術分野
本発明は、コンタクト−バウンドモード（a contact-bound mode）及びコンタクトレスモード（a contactless mode）で操作され得るデータキャリアであって、以下に明記される手段、即ち、前記コンタクト−バウンドモードにおいてデータを受信し得る且つ該コンタクト−バウンドモードにおいて受信されるデータを供給するためのコンタクト−バウンドデータ出力手段を含む、コンタクト−バウンドインターフェース手段と、前記コンタクトレスモードにおいてデータを受信し得る且つ該コンタクトレスモードにおいて受信されるデータを供給するためのコンタクトレスデータ出力手段を含む、コンタクトレスインターフェース手段と、前記コンタクト−バウンドモードにおいて受信されるデータ及び前記コンタクトレスモードにおいて受信されるデータを受信するためのデータ入力手段を含み且つ前記コンタクト−バウンドモードにおいて受信された該データ及び前記コンタクトレスモードにおいて受信された該データを処理し得るデータ処理手段と、第１のデータ入力手段、第２のデータ入力手段及びデータ出力手段を含み、該第１のデータ入力手段が前記コンタクト−バウンドインターフェース手段の前記コンタクト−バウンドデータ出力手段に接続され、該第２のデータ入力手段が前記コンタクトレスインターフェース手段の前記コンタクトレスデータ出力手段に接続され、該データ出力手段が前記データ処理手段の前記データ入力手段に接続されるデータ転送手段であって、前記コンタクト−バウンドモードにおいて受信され前記第１のデータ入力手段に印加されるデータを前記データ出力手段を介して前記データ処理手段に転送するように構成され、前記コンタクトレスモードにおいて受信され前記第２のデータ入力手段に印加されるデータを前記データ出力手段を介して前記データ処理手段に転送するように構成され、且つ前記第１及び第２のデータ入力手段の一方から当該データ入力手段の他方への受信データの転送を禁止するように構成されるデータ転送手段と、を含むデータキャリアに関する。
本発明は、更に、コンタクト−バウンドモード及びコンタクトレスモードで操作され得る、データキャリア用の回路であって、以下に明記される手段、即ち、前記コンタクト−バウンドモードにおいてデータを受信し得る且つ該コンタクト−バウンドモードにおいて受信されるデータを供給するためのコンタクト−バウンドデータ出力手段を含む、コンタクト−バウンドインターフェース手段と、前記コンタクトレスモードにおいてデータを受信し得る且つ該コンタクトレスモードにおいて受信されるデータを供給するためのコンタクトレスデータ出力手段を含む、コンタクトレスインターフェース手段と、前記コンタクト−バウンドモードにおいて受信されるデータ及び前記コンタクトレスモードにおいて受信されるデータを受信するためのデータ入力手段を含み且つ前記コンタクト−バウンドモードにおいて受信された該データ及び前記コンタクトレスモードにおいて受信された該データを処理し得るデータ処理手段と、第１のデータ入力手段、第２のデータ入力手段及びデータ出力手段を含み、該第１のデータ入力手段が前記コンタクト−バウンドインターフェース手段の前記コンタクト−バウンドデータ出力手段に接続され、該第２のデータ入力手段が前記コンタクトレスインターフェース手段の前記コンタクトレスデータ出力手段に接続され、該データ出力手段が前記データ処理手段の前記データ入力手段に接続されるデータ転送手段であって、前記コンタクト−バウンドモードにおいて受信され前記第１のデータ入力手段に印加されるデータを前記データ出力手段を介して前記データ処理手段に転送するように構成され、前記コンタクトレスモードにおいて受信され前記第２のデータ入力手段に印加されるデータを前記データ出力手段を介して前記データ処理手段に転送するように構成され、且つ前記第１及び第２のデータ入力手段の一方から当該データ入力手段の他方への受信データの転送を禁止するように構成されるデータ転送手段と、を含む回路に関する。
背景技術
第１の段落で規定された形式の斯かるデータキャリア及び第２の段落で規定された形式の斯かる回路は、例えば米国特許第ＵＳ５，２０６，４９５Ａ号の文書から既知である。
前記既知のデータキャリア及び前記既知の回路では、データ転送手段が、それによってコンタクト−バウンドインターフェース手段とコンタクトレスインターフェース手段の間の切換えが可能であるように成した、構成を有する。前記文書は、データ転送手段が、いわゆるマルチプレクサによって構成されるものであると述べている。前記文書において、コラム３の７行目から１０行目及びコラム４の３行目から５行目で説明されたように、そのようなデータ転送手段は、コンタクト−バウンドインターフェース手段によって供給されたデータ又はコンタクトレスインターフェース手段によって供給されたデータのいずれかがデータ処理手段に転送されることを可能にする。好ましくはマルチプレクサの形態を採るそのような既知のデータ転送手段は、比較的複雑な回路設計のものである。何故なら、そのようなマルチプレクサが、標準的に、即ち普通に、少なくとも２つのＡＮＤゲート、インバータ及びＯＲゲートを有しているからである。更に、切換えスイッチとして構築されたそのようなデータ転送手段の場合には、これらのデータ転送手段は、当該切換えを制御するための制御信号即ち制御情報を受信すべく準備された制御入力を有することが必要であり、独立した制御信号生成手段即ち制御情報生成手段が、この制御信号即ち当該制御情報の生成のために必要とされるのである。従って、すべてを検討すると、米国特許出願５，２０６，４９５Ａ号の文書から既知であるデータキャリア又はそのようなデータキャリア用の回路の当該構成は、集積回路技術における実装がむしろ不都合であると見做されることになる場合でさえも、比較的高度な回路の複雑性を必要とするのである。
発明の開示
本発明の目的は、上述の事態を回避して、簡単な様式で最小限の手段及び最小限の経費でもって改善されたデータキャリア及びデータキャリア用の改善された回路を設けることである。
本発明によれば、前記第１の段落で規定された形式のデータキャリアにおいて上述の目的を達成するために、前記データ転送手段が、論理ＯＲ関数を実行するように構成され、前記データ転送手段が、この構成と整合して、前記第１のデータ入力手段及び前記第２のデータ入力手段において同時に受信されたデータを前記データ出力手段に且つ結果として前記データ処理手段に同時に転送するようになっている。データキャリアのそのような構成は、データ転送手段が、非常に単純であり且つ結果として低コストである回路によって実現されることが可能であるという大きな利点を有する。更になお、そのような構成は、データ転送手段のための独立した制御機構が全く必要とされずに、それなしで済まされることが可能であり、可能な限り単純な回路を実現するために非常に好都合であるという更なる大きな利点をも有する。本発明による構成によれば、実際には全く起こりそうにないことであるが、コンタクト−バウンドモード及びコンタクトレスモードの両者が活性化されてしまった場合に、コンタクト−バウンドインターフェース手段を介して受信したデータだけでなくコンタクトレスインターフェース手段を介して受信したデータも現れ、使用不能なデータ混合物を形成するという非常に稀な実際的な状況が生じる可能性もある。しかしながら、実際には、これが現実的な問題を提起することにはならない。何故なら、そのような使用不能なデータ混合物が生じる場合、データ処理手段が、そのような使用不能なデータ混合物の存在を検出することが可能であり、このデータ混合物の更なる処理を禁止することも可能だからである。
独立請求項１に規定される特徴を有する本発明によるデータキャリアでは、データ転送手段が、例えば、該データ転送手段のデータ出力手段に接続される陽極を有し、互いに接続され且つ該データ転送手段のデータ入力手段にも接続される陰極を有する２つのダイオードによって本質的に形成されることが可能である。しかしながら、独立請求項１に規定された特徴を有する本発明によるデータキャリアでは、それに加えて、従属請求項２に規定される手段が採用されるならば、特に有益であるということが判明することになった。そのようなＯＲゲートは、ダイオードと比べて、電圧損失が全く発生せず、その結果として、ＯＲゲートの場合には、常に、そのフル・レベルが、データ転送手段のデータ出力手段において利用可能であるという利点を有するのである。
独立請求項１に規定された特徴を有する本発明よるデータキャリアでは、それに加えて、従属請求項３において規定される手段が採用されるならば、有益であるということも更に判明することになった。これは、特に簡単な回路設計という観点において非常に有益である。従属請求項３に規定された手段は、従属請求項２に規定された特徴を有する本発明によるデータキャリアに対しても有益に適用され得るということが留意されるべきである。
独立請求項１に規定された特徴を有する本発明によるデータキャリアに関しては、それに加えて、従属請求項４に規定される手段が採用されるならば、有益であるということもまた判明することになった。これは、明白に規定される切換え状態という観点において有益であり、従って、無故障運転という観点においても有益である。従属請求項４に規定された手段は、従属請求項２及び３において規定された特徴を有する本発明によるデータキャリアに対しても有益に適用され得るということが留意されるべきである。
独立請求項１に規定された特徴を有する本発明によるデータキャリアでは、それに加えて、従属請求項５に規定される手段が採用されるならば、有益であるということも更に判明することになった。これは、本発明によるデータキャリアの確実で故障のない性能という観点において有益である。従属請求項５に規定された手段は、従属請求項２，３及び４に規定された特徴を有する本発明によるデータキャリアに対しても有益に適用され得るということが留意されるべきである。
独立請求項１に規定された特徴を有する本発明によるデータキャリアでは、それに加えて、従属請求項６に規定される手段が採用されるならば、特に有益であるということが判明することになった。実際に、そのような実施例は、特に有効且つ有益なものであると判明することになった。何故なら、クロック信号は、本発明によるデータキャリアにおいてコンタクト−バウンドモード又はコンタクトレスモードのいずれが活性化されていようと、非常に明確且つ明白な検出を許容するからである。
本発明によれば、上述の目的を達成するために、前記第２の段落で規定された形式のものである回路は、前記データ転送手段が、論理ＯＲ関数を実行するように構成され、前記データ転送手段が、この構成と整合して、前記第１のデータ入力手段及び前記第２のデータ入力手段において同時に受信されたデータを前記データ出力手段に且つ結果として前記データ処理手段に同時に転送するようになっていることを特徴とする。このようにして、独立請求項１に規定された特徴を有する本発明によるデータキャリアに関してこれまでに説明された利点に対応する利点は、本発明による回路に関しても獲得されるのである。
従属請求項８及び１２に規定される特徴を有する、本発明による回路の有益なバリエーションは、従属請求項２から６に規定された特徴を有する、本発明によるデータキャリアの有益なバリエーションに関する上述の利点に対応する利点を明らかにするものである。
本発明に関する上述の特徴及び更なる特徴は、これ以降で具体例として説明される実施例から明白になるものであり、この実施例を参照して解明されることになる。
【図面の簡単な説明】
ここで、本発明は、図面において示され、例として提示されるが、それに対して本発明が限定されるものではないように成した、２つの実施例を参照して更に詳細に説明されることになる。
第１図は、本発明の第１の実施例によるデータキャリアの関連部分及びこのデータキャリア用の回路を示しているブロックダイアグラムの形態を採る概略図である。
第２図は、ここでは２つのダイオードによって形成されるように成した、本発明の第２の実施例によるデータキャリア及びこのデータキャリア用の回路に関するデータ転送手段を示している。
第３図は、ここではデータ転送手段がＯＲゲートによって実現されるように成した、本発明の第３の実施例によるデータキャリア及びこのデータキャリア用の回路を第１図のものより詳細な略図で示している。
発明を実施するための最良の形態
第１図は、本発明の第１の実施例によるデータキャリア１の一部及び該データキャリア１用の回路２を示している、ブロックダイアグラムの形態を採る略図である。本事例では、データキャリア１は、いわゆるコンビ・カードである。回路２は、集積回路の形態を採っている。
データキャリア１及び回路２は、いわゆるコンタクト−バウンドモード及びいわゆるコンタクトレスモードにおいて操作されることが可能である。この目的のために、データキャリア１は、コンタクト−バウンドインターフェース手段３と、コンタクトレスインターフェース手段４とを含む。
コンタクト−バウンドインターフェース手段３は、合計で８個である接点６，７，８，９，１０，１１，１２及び１３を有する接点配列５を含み、データキャリア１は、そのコンタクト−バウンドモードにある場合、前記８個の接点を介して、この目的のために適当なものである対応して構築された書込み／読取り装置と共に、コンタクト−バウンド様式で協働することが可能である。コンタクト−バウンドインターフェース手段３は、第１図で概略的に示されたように、ライン１５を介して接点配列５の各接点に接続されるように成した、コンタクト−バウンド信号部分１４をも更に含む。コンタクト−バウンドモードが活性である場合、それは、コンタクト−バウンドインターフェース手段３を介してデータを受信することが可能であり、該データは、コンタクト−バウンド信号部分１４の中において処理されることが可能であり、それは、コンタクト−バウンド信号部分１４からコンタクト−バウンドインターフェース手段３のコンタクト−バウンドデータ出力手段１６に転送されることが可能であり、該出力手段は、コンタクト−バウンドモードが活性である場合に、前記受信されたデータを出力するものとして機能する。本事例では、コンタクト−バウンドデータ出力手段１６は、１つの信号データ出力接点によって形成されるものであり、それは、該接点を介して、コンタクト−バウンド信号部分１４によって逐次形態で供給されたデータを転送することが可能である。しかしながら、他の例においては、コンタクト−バウンド信号部分１４は、接点配列５から受信したデータを処理して、この部分がこのデータを並列形態で供給するようにして、構築されることも可能であり、その場合には、コンタクト−バウンドインターフェース手段のコンタクト−バウンドデータ出力手段は、複数のデータ出力接点を有することになる。
コンタクト−バウンドインターフェース手段３は、データキャリア１がコンタクト−バウンドモードにおいて活性である場合に、供給されたデータを受信すべく機能するように成した、コンタクト−バウンドデータ入力手段１７をも更に含む。本事例では、これらのコンタクト−バウンドデータ入力手段１７もまた、単独のデータ入力接点から構成されるものであり、データは、それを介して、コンタクト−バウンドインターフェース手段３のコンタクト−バウンド信号部分１４に逐次形態で転送されることが可能である。
コンタクトレスインターフェース手段４は、伝送コイル１８を含むものであり、データは、それを介して、この目的のために適当なものである対応して構築された書込み／読取り装置から誘導的即ちコンタクトレス的な様式で受信されることが可能であり、データキャリア１によって供給されたデータが、反対方向において、該伝送コイルを介して、誘導的即ちコンタクトレス的な様式で当該送信／受信装置に転送されることも可能である。コンタクトレスインターフェース手段４は、伝送コイル１８に接続されるコンタクトレス信号部分１９をも更に含む。コンタクトレス信号部分１９を使用することによって、伝送コイル１８によって受信されたデータは、再生されることが可能になり、伝送コイル１８によって送信されるべきデータが、送信すべく準備されることも可能になる。従って、コンタクトレスモードでは、コンタクトレスインターフェース手段４を介してデータを受信することが可能であり、更に、それらがコンタクトレス信号部分１９によって処理され再生された後に、それらをコンタクトレスインターフェース手段４のコンタクトレスデータ出力手段２０に転送することも可能であり、該出力手段は、コンタクトレスモードが活性である場合、受信したデータの出力として機能するのである。本事例では、コンタクトレスデータ出力手段２０は、唯１つの信号データ出力接点から構成される。コンタクト−バウンドデータ出力手段１６と同様に、前記コンタクトレスデータ出力手段もまた、必要に応じて、複数のデータ出力接点を有することが可能であると留意されるべきである。
コンタクトレスインターフェース手段４は、コンタクトレスモードが活性である場合に、供給されたデータを受信すべく機能するように成した、コンタクトレスデータ入力手段２１をも更に含む。本事例では、コンタクトレスインターフェース手段４のコンタクトレスデータ入力手段２１もまた、単一のみのデータ入力接点から構成されるものである。
データキャリア１及び回路２は、データ処理手段２２をも更に含む。データ処理手段２２は、コンタクト−バウンドモードが活性である場合及びコンタクトレスモードが活性である場合、前記受信したデータを処理するものとして機能し、コンタクト−バウンドモードが活性である場合及びコンタクトレスモードが活性である場合、供給されるべきデータ即ち送信されるべきデータを処理するためのものとしても機能する。データ処理手段２２は、コンタクト−バウンドモード及びコンタクトレスモードで受信されるデータを受信するためのデータ入力手段２３を含む。本事例では、データ入力手段２３は、単一のみのデータ入力接点から構成される。データ入力手段２３は、コンタクト−バウンドモード及びコンタクトレスモードで供給されたデータの出力として機能するように成した、データ出力手段２４をも更に有する。本事例では、データ出力手段２４もまた、単一のみのデータ出力接点から構成されるものである。
データ処理手段２２は、バス２５を介して、メモリ手段２６に接続される。メモリ手段２６は、いわゆるＥＥＰＲＯＭによって形成される。しかしながら、他の例において、メモリ手段２６は、いわゆるＲＡＭによって形成されることも可能であるが、その場合、該ＲＡＭは、絶えず電源電圧を受け取るべきである。メモリ手段２６は、データキャリア１によって受信され、データ処理手段２２によって処理されたデータを記憶することが可能である。更に、メモリ手段２６の中に記憶されたデータは、バス２５を介してデータ処理手段２２によってメモリ手段２６から読み出されることが可能であり、コンタクト−バウンドモードが活性である場合にはコンタクト−バウンドインターフェース手段３を介して読取り／書込み装置に転送され、コンタクトレスモードが活性である場合にはコンタクトレスインターフェース手段４を介して送信／受信装置に転送されることになる。
データキャリア１及び回路２は、データ転送手段２７をも更に含む。データ転送手段２７は、第１のデータ入力手段２８と、第２のデータ入力手段２９と、データ出力手段３０とを有する。第１のデータ入力手段２８は、コンタクト−バウンドインターフェース手段３のコンタクト−バウンドデータ出力手段１６に接続される。第２のデータ入力手段２９は、コンタクトレスインターフェース手段４のコンタクトレスデータ出力手段２０に接続される。データ出力手段３０は、データ処理手段２２のデータ入力手段２３に接続される。データ転送手段２７は、コンタクト−バウンドモードにおいて受信され第１のデータ入力手段２８に印加されたデータ、及びコンタクトレスモードにおいて受信され第２のデータ入力手段２９に印加されたデータを、データ出力手段３０を介してデータ処理手段２２に転送することが可能である。データ転送手段２７の当該構成は、データ転送手段２７の中では、データ入力手段２８又は２９から他方のデータ入力手段２９又は２８への受信データの転送が禁止されるということを保証する。
第１図において示されたデータキャリア１では、データ転送手段２７は、論理ＯＲ関数に従って都合良く構築される。データ転送手段２７のこの構成は、データ転送手段２７が、これらのデータ転送手段の第１のデータ入力手段２８及び第２のデータ入力手段２９によって同時に受信されたデータを、データ出力手段３０に且つ結果としてデータ処理手段２２に同時に転送されることになるようにして、転送することを許容する。
データキャリア１及び回路２の当該構成は、データ転送手段２７が、非常に単純であり且つ結果として低コストである回路として実装されることが可能であるという大きな利点を有する。この構成は、データ転送手段２７のための独立した制御設備が全く必要とされず、これもまた単純な回路設計に関して非常に好都合であるという大きな利点を更に有する。
第２図は、本発明の第２の実施例によるデータキャリア及びこのデータキャリア用の回路に関するデータ転送手段２７だけを示しているものである。第２図から明らかであるように、データ転送手段２７は、第１のダイオード９８と、第２のダイオード９９とを有する。第１のダイオード９８は、第１のデータ入力手段２８とデータ出力手段３０の間に配置されるものであり、第１のダイオード９８は、第１のデータ入力手段２８に電気的に接続されるその陽極と、データ出力手段３０に対するその陰極とを有する。第２のダイオード９９は、第２のデータ入力手段２９とデータ出力手段３０の間に配置されるものであり、第２のダイオード９９は、第２のデータ入力手段２９に電気的に接続されるその陽極と、データ出力手段３０に対するその陰極とを有する。
本発明の第２の実施例によるデータキャリア及び本発明の第２の実施例による回路では、２つのダイオード９８及び９９の陰極に追随するものであり、結果として後続のデータ処理手段２２の入力回路部分によって形成されるものであり、且つ２つのダイオード９８及び９９を介して充電されることが可能であるように成した、回路部分の中に存在する寄生静電容量の放電を許容する処置が、２つのダイオード９８及び９９の陰極の後において行われるべきであるということが留意されるべきである。これらの寄生静電容量を放電するためには、プルダウン抵抗とも呼ばれる独立した接地抵抗が、データ転送手段２７のデータ出力手段３０を横断して設けられることが可能であり、該抵抗は、例えば１０ｋΩと１００ｋΩの範囲内の抵抗値を有することが可能である。
第３図は、本発明の第３の実施例による更なるデータキャリア１及びこのデータキャリア１の回路２を示している。第３図のデータキャリア１に関しては、第１図のデータキャリア１を参照する説明に加えて、以下のことが言及されるべきである。
第３図において理解され得るように、接点配列５の接点９は、電源電位ＶＣＣをデータキャリア１に印加するものとして機能する。接点１３は、接地電位を印加するものとして機能する。接点７は、本例では約５．０ＭＨｚの周波数を有するように成したコンタクト−バウンドクロック信号ＫＢ−ＣＬＫを印加するものとして機能する。接点配列５の接点１１は、データ入力／出力ポート（Ｉ／Ｏ）を形成するものであり、データは、該ポートを介して、逐次形態で転送されることが可能である。
第３図のデータキャリア１の中におけるコンタクト−バウンド信号部分１４は、信号調整回路３１と、第１のクロック信号処理回路３２とを含む。
信号調整回路３１は、２方向ライン３３を介して接点配列５の接点１１に接続される一方の側面を有するものであり、１方向ライン３４を介してコンタクト−バウンドデータ出力手段１６に接続され、更なる１方向ライン３５を介してコンタクト−バウンドデータ入力手段１７にも接続されるその他方の側面を有するものでもある。信号調整回路３１を使用することによって、接点配列５の接点１１を介して受信されたデータ信号及び２方向ライン３３を介してそれに印加されたデータ信号の両者は、処理されたデータ信号をコンタクト−バウンドデータ出力手段１６に印加すべく処理されることが可能であり、コンタクト−バウンドデータ入力手段１７に印加されたデータ信号が、２方向ライン３３を介して接点配列５の接点１１に印加されるべく調整されることも可能である。
第１のクロック信号処理回路３２は、第１のクロック信号処理回路３２の入力３６に印加されるコンタクト−バウンドクロック信号ＫＢ−ＣＬＫを処理するものとして機能する。クロック信号処理回路３２を使用することによって、それに印加されたコンタクト−バウンドクロック信号ＫＢ−ＣＬＫは、再生され、該再生された第１のクロック信号ＣＬＫ１として第１のクロック信号処理回路３２の第１の出力３７に供給される。第１のクロック信号ＣＬＫ１もまた、５．０ＭＨｚの周波数を有するものである。第１のクロック信号処理回路３２は、それに印加されたコンタクト−バウンドクロック信号ＫＢ−ＣＬＫから第２のクロック信号ＣＬＫ２をも更に導出するものであり、該第２のクロック信号は、９．６ｋＨｚの周波数を有して、第１のクロック信号処理回路３２の第２の出力３８に供給される。
第３図のデータキャリア１に関しては、コンタクトレス信号部分１９は、アナログ信号部分３９及び復号ステージ４０、符号化ステージ４１、及び２つのクロック信号処理回路４２を含むということが留意されるべきである。
本質的に既知である様式において、アナログ信号部分３９は、電源電位生成ステージ４３、クロック信号再生ステージ４４、復調器ステージ４５、及び変調器ステージ４６を含む。前記４つのステージ４３，４４，４５及び４６は、図示略の様式において伝送コイル１８に各々接続される。
電源電位生成ステージ４３を使用することによって、電源電位ＶＤＤは、伝送コイル１８によって受信された信号から導出されることが可能である。電源電位ＶＤＤを使用することによって、コンタクトレスモードにおいて必要とされるデータキャリア１の回路２のすべての回路部分は、例えば復号ステージ４０に関して示されたように付勢されることが可能であり、電源電位ＶＤＤは、該回路部分に、電源電位入力４７を介して印加されることが可能である。
ここで、接点配列５の接点９を介してデータキャリア１に印加されることが可能である電源電位ＶＣＣは、コンタクト−バウンドモードにおいて必要とされるデータキャリア１のすべての回路部分を付勢するものとして機能するということが留意されるべきである。結果として、電源電位ＶＣＣは、具体例として信号調整回路３１に関して示されたように、コンタクト−バウンドモードを実行するために必要なすべての回路部分に印加されることが可能であり、電源電位ＶＣＣは、該回路部分に、電源電位入力４８を介して印加されることが可能である。
クロック信号再生ステージ４４を使用することによって、伝送コイル１８によって受信された信号の中に含まれたコンタクトレスクロック信号ＫＬ−ＣＬＫは、最後に言及した信号から導出されることが可能であり、該クロック信号は、本例では１３．５６ＭＨｚの周波数を有する。この場合、クロック信号再生ステージ４４は、前記受信したコンタクトレスクロック信号ＫＬ−ＣＬＫから第３のクロック信号ＣＬＫ３を導出するものであり、該第３のクロック信号は、クロック信号処理回路４２の入力４９に印加されることが可能である。第２のクロック信号処理回路４２は、基本的には、いかなる変更もなしに３．３９ＭＨｚの周波数で、第３のクロック信号ＣＬＫ３を第１の出力５０に転送する。第２のクロック信号処理回路４２は、それに印加された第３のクロック信号ＣＬＫ３から２つの更なるクロック信号、即ち８００ｋＨｚの周波数を有する第４のクロック信号ＣＬＫ４及び１０６ｋＨｚの周波数を有する第５のクロック信号ＣＬＫ５を導出する。第２のクロック信号処理回路４２は、第４のクロック信号ＣＬＫ４を第２の出力５１に供給し、第５のクロック信号ＣＬＫ５を第３の出力５２に供給する。
アナログ信号部分３９の復調器ステージ４５は、伝送コイル１８を使用して受信されたデータ信号を復調するためのものとして機能する。復調器ステージ４５によって供給された復調データ信号は、１方向ライン５３を介して復号ステージ４０の入力５４に印加されることが可能である。更に、第５のクロック信号ＣＬＫ５は、復号ステージ４０の更なる入力５５に印加されることが可能である。適切な復号プロセスを使用することによって、復号ステージ４０は、データを例えばミラー・コードである所定のライン・コードにおいて含むデータ信号を、単純なデータ・フォーマット即ち論理ゼロ又は論理１のいずれかを表わすビットのシーケンスになるように復号することが可能である。復号されたデータは、復号ステージ４０の出力５６を介してコンタクトレスデータ出力手段２０に印加されることが可能である。復号ステージ４０に関しては、このステージは、有意味な符号化されたデータがその入力５４に印加されていることをそれが検出する場合にのみ、データを供給するということが留意されるべきである。
コンタクトレス信号部分１９は、復号ステージ４０に類似して、コンタクトレスデータ入力手段２１に接続される入力５７を有する符号化ステージ４１を含むものであり、該データは、該入力を介して、符号化ステージ４１に印加されることが可能である。更に、第４のクロック信号ＣＬＫ４もまた、更なる入力９７を介して符号化ステージ４１に印加されることが可能である。出力されるべきデータは、符号化ステージ４１を使用して符号化されることが可能である。符号化されたデータは、符号化ステージ４１から出力５８に転送され、１方向ライン５９を介してアナログ信号部分３９の変調器ステージ４６に印加される。続いて、変調器ステージ４６は、送信／受信装置への転送を許容するように成した変調プロセスを実施する。変調プロセスは、例えば、いわゆる負荷変調であることが可能である。
第３図のデータキャリア１及び回路２は、クロック信号検出手段６０を含むものであり、該検出手段を使用することによって、コンタクト−バウンドクロック信号ＫＢ−ＣＬＫの存在は、コンタクト−バウンドモードにおいて発生し、コンタクトレスクロック信号ＫＬ−ＣＬＫの存在は、コンタクトレスモードにおいて発生する。この目的のために、コンタクト−バウンドクロック信号ＫＢ−ＣＬＫは、ライン６１を介して接点配列５の接点７からクロック信号検出手段６０の第１の入力６２に印加される。更に、コンタクトレスクロック信号ＫＬ−ＣＬＫに対応する第３のクロック信号ＣＬＫ３は、更なるライン６３を介してクロック信号検出手段６０の第２の入力６４に印加される。
クロック信号検出手段６０は、クロック信号ＫＢ−ＣＬＫ又はＣＬＫ３のいずれが各々の入力６２又は６４に現れているのかを検出し、更には、両者のクロック信号ＫＢ−ＣＬＫ及びＣＬＫ３が同時に２つの入力６２及び６４に現れているかどうかということ、即ちコンタクト−バウンドモード及びコンタクトレスモードの両者が活性化されてしまったということを検出することを可能にするものである。何故なら、両者のクロック信号ＫＢ−ＣＬＫ及びＣＬＫ３は、最後に言及した状況においてのみ、クロック信号検出手段６０の２つの入力６２及び６４に現れるからである。従って、クロック信号検出手段６０は、それによってコンタクト−バウンドモード及びコンタクトレスモードの両者が活性化されてしまったことを検出することが可能であるように成した、補足的な検出手段を構成するものでもある。
クロック信号検出手段６０が入力６２においてコンタクト−バウンドクロック信号ＫＢ−ＣＬＫの存在を検出すると、クロック信号検出手段６０は、第１の出力６５においてコンタクト−バウンド制御情報ＫＢＳＩを生成する。クロック信号検出手段６０が第２の入力６４において第３のクロック信号ＣＬＫ３の存在を検出すると、該クロック信号検出手段は、第１の出力６５においてコンタクトレス制御情報ＫＬＳＩを生成する。クロック信号検出手段６０が２つの入力６２及び６４において両者のクロック信号ＫＢ−ＣＬＫ及びＫＢ−ＣＬＫ３の同時存在を検出すると、クロック信号検出手段６０は、ここでもまた、出力６５においてコンタクト−バウンド制御情報ＫＢＳＩを生成することになり、それは、この場合には、コンタクト−バウンドモードがいわゆるマスター関数を有するということを意味するものであり、更に、クロック信号検出手段６０は、第２の出力６６において禁止情報ＢＩをも生成することになる。
クロック信号切換え装置６８の制御入力６７は、クロック信号検出手段６０の第１の出力６５に接続される。クロック信号切換え装置６８は、第１のクロック信号入力６９と、第２のクロック信号入力７０と、クロック信号出力７１とを有する。第１のクロック信号入力６９は、第１のクロック信号処理回路３２の出力３８に接続され、その結果として、９．６ｋＨｚの周波数を有する第２のクロック信号ＣＬＫ２は、第１のクロック信号入力６９に印加されることが可能であり、該周波数は、コンタクト−バウンドモードにおけるデータ転送レートに対応する。第２のクロック信号入力７０は、第２のクロック信号処理回路４２の第３の出力５２に接続され、その結果として、第５のクロック信号ＣＬＫ５は、第２のクロック信号入力７０に印加されることが可能であり、該第５のクロック信号は、コンタクトレスモードにおけるデータ転送レートに対応する１０６ｋＨｚという周波数を有する。
コンタクト−バウンド制御情報ＫＢＳＩがクロック信号切換え装置６８に印加されると、クロック信号切換え装置６８は、第１のクロック信号入力６９からクロック信号出力７１への接続を提供する。コンタクトレス制御情報ＫＬＳＩがクロック信号切換え装置６８に印加されると、クロック信号切換え装置６８は、第２のクロック信号入力７０からクロック信号出力７１への接続を提供する。従って、即時活性モードにおいて必要とされるクロック信号は、クロック信号出力７１において常に利用可能である。
コンタクト−バウンドインターフェース手段３のコンタクト−バウンド信号部分１４の中における信号調整回路３１に関しては、信号調整回路３１は、電源電位ＶＣＣがその電源電位入力４８において全く現れない場合に、論理ゼロに対応する電位が１方向ライン３４に印加されることを保証するものであり、その結果として、コンタクト−バウンドインターフェース手段３のコンタクト−バウンドデータ出力手段１６が、論理ゼロに対応する状態に設定されるということが更に留意されるべきである。従って、信号調整回路３１は、電源電位ＶＣＣの不在の場合、即ちコンタクト−バウンドモードが不活性である場合に、コンタクト−バウンドインターフェース手段３のコンタクト−バウンドデータ出力手段１６が論理ゼロに対応する状態に設定されることを保証するように成した手段を構成するのである。
更に、コンタクトレス信号部分１９の中における復号ステージ４０に関しては、電源電位ＶＤＤがその電源電位入力４７において全く現れない場合に、復号ステージ４０は、論理ゼロに対応する電位を復号ステージ４０の出力５６の上において生成するものであり、その結果として、出力５６にその出力手段が接続されるように成したコンタクトレスインターフェース手段４のコンタクトレスデータ出力手段２０もまた、論理ゼロに対応する状態に設定されるということが留意されるべきである。従って、復号ステージ４０は、電源電位ＶＤＤの不在の場合、即ちコンタクトレスモードが不活性である場合に、コンタクトレスインターフェース手段４のコンタクトレスデータ出力手段２０もまた、論理ゼロに対応する状態に設定されることを保証するように成した更なる手段を構成するのである。
第３図のデータキャリア１及びデータキャリア１の回路２は、データ転送手段２７をも含む。データ転送手段２７は、特に単純且つ有益な様式でＯＲゲート７２によって構成される。結果として、データ転送手段２７のデータ入力手段２８及びデータ入力手段２９は、ＯＲゲート７２の２つの入力に対応し、データ転送手段２７のデータ出力手段３０は、ＯＲゲート７２の出力に対応するのである。データ転送手段２７として使用されるそのようなＯＲゲート７２の特殊な利点は、その入力とその出力の間において電圧損失が実質的に全く発生せず、その結果として、常に全電圧揺動が該出力において利用可能であるということである。コンタクト−バウンドモードが不活性である場合には、データ転送手段２７の第１のデータ入力手段２８は、論理ゼロに対応する電位に置かれる。コンタクトレスモードが不活性である場合には、データ転送手段２７の第２のデータ入力手段２９が、論理ゼロに対応する電位に置かれるのである。
それは論理ＯＲ関数を実行すべく構築されるので、ＯＲゲート７２は、第１のデータ入力手段２８において受信されたデータ及び第２のデータ入力手段２９において受信されたデータを、上述のデータの分離発生の場合には、前記データが別個に転送され、前記データの同時発生の場合には、それらがデータ出力手段３０に且つ結果としてデータ処理手段２２に同時に転送されるようにして、データ出力手段３０に転送することが可能である。
本事例では、データ処理手段２２は、データ入力７４、クロック信号入力７５及びデータ出力７６を有するように成した、いわゆる同期フリップ・フロップ７３を含む。データ入力７４は、データ処理手段２２のデータ入力手段２３に接続される。クロック信号入力７５は、クロック信号ライン７７を介してクロック信号切換え装置６８のクロック信号出力７１に接続され、その結果として、同期フリップ・フロップ７３は、常に、活性モードにおいて必要とされるクロック信号ＣＬＫ２又はＣＬＫ５をクロック信号入力７５を介して受信することが可能である。同期フリップ・フロップ７３は、データ入力７４に印加されたデータを各々のクロック信号ＣＬＫ２又はＣＬＫ５に対して同期させるものとして機能する。同期フリップ・フロップ７３の出力７６からは、同期されたデータがデータ調整手段７９の入力７８に印加され、該印加は、逐次形態で行われる。データ調整手段７９は、基本的には、汎用の同期的な送信／受信ユニットを有するものであり、ユニットは、なかんずく逐次形態と並列形態の間におけるデータの変換を可能にするものであり、データ送信エラーが検出されることを可能にするエラー検出手段を含むものでもあり、データが所望のデータ・プロトコルの中に嵌め込まれることを可能にする手段をも更に含む。本事例では、データ調整手段７９は、ハードウェア形態で実現される。しかしながら、他の例においては、それらがソフトウェア形態で実現されることも可能である。
データ入力７８に加えて、データ調整手段７９は、データ処理手段２２のデータ出力手段２４に接続されるデータ出力８０をも有する。更に、データ調整手段７９は、第１のクロック信号ＣＬＫ１がそれを介して印加されることが可能である第１のクロック信号入力８１と、その活性化モードに応じて第３のクロック信号ＣＬＫ３がそれを介して印加されることが可能である第２のクロック信号入力８２と、その活性化モードに応じて第２のクロック信号ＣＬＫ２又は第５のクロック信号ＣＬＫ５のいずれかがそれを介してクロック信号切換え装置６８のクロック信号出力７１からクロック信号入力７５を介して印加されることが可能である第３のクロック信号入力８３とを有する。
データ調整手段７９は、複数のレジスタを有するレジスタ手段８４を含んでいる。
データ処理手段２２は、マイクロプロセッサ８５をも更に含んでいる。マイクロプロセッサ８５は、バス・ライン８６を介してレジスタ手段８４に接続され、該レジスタ手段がマイクロプロセッサ８５によって読出し読込みされることを可能にする。
マイクロプロセッサ８５は、第１のクロック信号入力８７及び第２のクロック信号入力８８をも更に有する。第１のクロック信号ＣＬＫ１は、第１のクロック信号入力８７を介してマイクロプロセッサ８５に印加されることが可能である。第３のクロック信号ＣＬＫ３は、第２のクロック信号入力８８を介してマイクロプロセッサ８５に印加されることが可能である。
マイクロプロセッサ８５は、バス２５の一部を形成するバス・ライン８９を介してメモリ手段２６に接続される。バス・ライン８９を介して、データ即ちコンタクト−バウンドモード又はコンタクトレスモードのいずれかにおいてデータキャリア１によって受信されたデータは、マイクロプロセッサ８５の支援を受けてメモリ手段２６の中にロードされることが可能である。
メモリ手段２６は、これもまたバス２５の一部を形成するものである更なるバス・ライン９０を介してデータ調整手段７９に接続される。この更なるバス・ライン９０を使用することによって、データは、マイクロプロセッサ８５の制御下においてデータ調整手段７９の支援を受けてメモリ手段２６から読み取られることが可能であり、該データは、それらが読み出されてしまった後、コンタクト−バウンドモード又はコンタクトレスモードのいずれかにおいてデータキャリア１によって出力される。
コンタクト−バウンドモードにおいて、データキャリア１が接点配列５の接点１１を介してデータを受信すると、このようにして受信されたデータは、２方向ライン３３、信号調整回路３１、１方向ライン３４及びコンタクト−バウンドデータ出力手段１６を介してデータ転送手段２７の第１のデータ入力手段２８に印加される。データ転送手段２７は、前記印加されたデータをデータ出力手段３０に且つ結果としてデータ処理手段２２に転送するものであり、該データ処理手段は、受信されたデータが、同期フリップ・フロップ７３、データ調整手段７９及びマイクロプロセッサ８５の支援を受けてメモリ手段２６の中に記憶されることを保証する。
同様に、伝送コイル１８によって誘導的に即ちコンタクトレス様式で受信され、復号ステージ４０によって復号されるように成した、データキャリア１のコンタクトレスモードで受信されるデータは、復号ステージ４０から前記ステージの出力５６を介してデータ転送手段２７の第２のデータ入力手段２９に印加される。本事例では、データ転送手段２７は、前記印加されたデータがデータ出力手段３０に且つ結果としてデータ処理手段２２に無故障で転送されることを保証するものでもあり、該データ処理手段は、同様な様式において、受信されたデータがメモリ手段２６の中にロードされることを保証する。
第３図のデータキャリア１において、コンタクト−バウンドモード及びコンタクトレスモードの両者が活性化されて、受信されたデータがデータ転送手段２７の第１のデータ入力手段２８及び第２のデータ入力手段２９の両者に印加される場合、データ転送手段２７は、同時に受信されたデータをデータ出力手段３０に同時に転送するものであり、その結果として、基本的には無意味且つ使用不能なデータ混合物である同時に転送されたデータは、データ処理手段２２に且つ結果としてデータ調整手段７９にルーティングされる。この場合、クロック信号検出手段６０は、クロック信号ＫＢ−ＣＬＫ及びクロック信号ＣＬＫ３がその入力６２及び６４の各々において同時に現れることを検出し、その結果として、該クロック信号検出手段は、第２の出力６６において禁止情報Ｂ１を生成する。この禁止情報Ｂ１は、ライン９１を介してデータ調整手段７９の制御入力９２に印加される。データ調整手段７９の中において、禁止情報Ｂ１は、データの処理、即ちこの場合にはデータ入力手段２３を介してデータ処理手段２２に且つ結果としてデータ調整手段７９に印加される無意味且つ使用不能なデータ混合物の処理を禁止するのである。これは、コンタクト−バウンドモード及びコンタクトレスモードの両者が活性化されてしまったことが検出される場合、クロック信号検出手段６０は、データ入力手段２３を介してデータ処理手段２２によって印加されるデータの処理を禁止させることが可能であるということを意味する。
データ処理手段２２のデータ出力手段２４及びコンタクト−バウンドインターフェース手段３のコンタクト−バウンドデータ入力手段１７及びコンタクトレスインターフェース手段４のコンタクトレスデータ入力手段２１は、互いに電気的に接続されるということが留意されるべきである。これは、単純な回路設計の観点において特に有益である。しかしながら、この利点は、第１図で示されたデータキャリア１によっても達成される。
コンタクト−バウンドモードが活性化される場合及びコンタクトレスモードが活性化される場合の両者において、メモリ手段２６の中に記憶されていて、データキャリア１によって出力されることになるデータは、マイクロプロセッサ８５の制御下においてデータ調整手段７９の支援を受けてメモリ手段２６から読み取られることが可能であり、該データは、データ調整手段７９のデータ出力８０及びデータ処理手段２２のデータ出力手段２４を介してコンタクト−バウンドインターフェース手段３のデータ入力手段１７及びコンタクトレスインターフェース手段４のデータ入力手段２１の両者に印加されることが可能である。従って、データキャリア１によって出力されるデータの場合、該出力データは、接点配列５の接点１１及び伝送コイル１８の両者によって印加されるものであり、いかなる欠陥をも全く有するものではないのである。
本発明は、これまでに具体例として説明されたそれらの実施例に限定されるものではなく、論理ＯＲ関数を実行すべく構築されるデータ転送手段は、実質的により複雑な回路設計の回路によって実現されることも可能であるということが留意されるべきである。
【図１】
0004175436.tif 000002
【図２】
0004175436.tif 000003
【図３】
0004175436.tif 000004